(57)【要約】【課題】観察方向に制限されることなく潜像による真偽判別を容易に行う。【解決手段】  シート基材２の平面部３から窪んで形成された複数の凹部１１と、複数の凹部１１のうち予め決められた凹部１１の内側面１１ａの平面部３から第１の深さとなる位置に全周に渡って設けられた文字部マーク１２と、複数の凹部１１のうち文字部マーク１２が設けられていない凹部１１の平面部３から第１の深さよりも深い第２の深さとなる位置に全周に渡って設けられた背景部マーク１３とを有する。【選択図】図１
2008012723.tif 000002
【特許請求の範囲】
【請求項１】
基材表面から窪んで形成された複数の凹部と、
前記複数の凹部のうち予め決められた凹部の前記基材表面から第１の深さとなる位置に設けられた第１のマーク部と、
前記第１のマーク部と相似形であり、前記複数の凹部のうち前記第１のマーク部が設けられていない凹部の前記基材表面から前記第１の深さと異なる第２の深さとなる位置に設けられた第２のマーク部とを有し、
前記第１のマーク部と前記第２のマーク部との少なくとも一方は、前記凹部の内側面の全周に渡って設けられた偽造防止媒体。
【発明の詳細な説明】
【技術分野】
【０００１】
本発明は、偽造防止シート等の偽造防止媒体に関し、特に、潜像を用いた偽造防止構造に関する。
【背景技術】
【０００２】
従来より、プリペイドカードや各種入場券、商品券や株券等の有価証券においては、広く流通しており比較的容易に換金可能である等の理由から、偽造犯罪が頻発している。特に、近年ではカラーコピー機等の複写機の性能向上と普及に伴い、簡単には真正品と見分けられない偽造品が比較的容易に製造可能になってきており、偽造に対する対策が求められている。また、上述したような有価証券に限らず、紙幣においても偽造に対する対策が求められている。
【０００３】
このような偽造に対する対策の１つとして、潜像を用いて有価証券や紙幣の真偽判別を可能とする技術が考えられており、例えば、特許文献１に開示されている。
【０００４】
特許文献１に開示された技術は、シート基材上に、複数本の印刷万線と、この印刷万線と並列し、一部が印刷万線と直交する方向に延在し、かつ、断面が隆起したレリーフ万線とを設け、観察方向によって潜像を浮かび上がらせるものである。基材を正面から見た場合は全ての印刷万線が視認可能な状態となっている。ところが、観察方向を印刷万線及びレリーフ万線と直交する方向に変化させていくと、印刷万線のうちレリーフ万線が延在した部分がその延在したレリーフ万線の陰となって視認できなくなる一方、印刷万線のその他の部分は視認可能な状態のままとなる。これにより、レリーフ万線の形状に応じた潜像を浮かび上がらせることができる。
【０００５】
このように断面が隆起したレリーフ万線を設けたシート基材においては、複写した場合、表面に印刷された印刷万線を含む印刷情報は複写されるものの、レリーフ万線の隆起形状までは再現できない。そのため、複写物の観察方向を変化させていった場合であっても、潜像は浮かび上がらず、それにより、真偽判別を行うことが可能となる。
【特許文献１】特開２０００−３１３１６１号公報
【発明の開示】
【発明が解決しようとする課題】
【０００６】
しかしながら、上述したように、シート基材上に、複数本の印刷万線と、この印刷万線と並列し、一部が印刷万線と直交する方向に延在し、かつ、断面が隆起したレリーフ万線とを設け、この印刷万線とレリーフ万線とで潜像を浮かび上がらせるものにおいては、印刷万線及びレリーフ万線と直交する方向から観察した場合にしか潜像が浮かび上がらず、潜像による真偽判別がしやすいとは言い難い。特に、観察方向が制限されている場合、潜像による真偽判別ができなくなる虞れがある。
【０００７】
本発明は、上述したような従来の技術が有する問題点に鑑みてなされたものであって、観察方向に制限されることなく潜像による真偽判別を容易に行うことができる偽造防止媒体を提供することを目的とする。
【課題を解決するための手段】
【０００８】
上記目的を達成するために本発明は、
基材表面から窪んで形成された複数の凹部と、
前記複数の凹部のうち予め決められた凹部の前記基材表面から第１の深さとなる位置に設けられた第１のマーク部と、
前記第１のマーク部と相似形であり、前記複数の凹部のうち前記第１のマーク部が設けられていない凹部の前記基材表面から前記第１の深さと異なる第２の深さとなる位置に設けられた第２のマーク部とを有し、
前記第１のマーク部と前記第２のマーク部との少なくとも一方は、前記凹部の内側面の全周に渡って設けられている。
【０００９】
上記のように構成された本発明においては、基材を正面から観察した場合、複数の凹部に設けられた第１のマーク部及び第２のマーク部は、観察方向から遮るものが存在しないため、全ての第１のマーク部と第２のマーク部が視認される。第１のマーク部と第２のマーク部とは、基材表面からの深さが互いに異なるものの、互いに相似形であり、かつその深さ方向にて観察されているため、略同一の形状として認識され、それにより、第１のマーク部と第２のマーク部との区別がつきにくく、同一形状のマーク部が並んで形成されているものとして認識される。この状態から観察方向を基材表面に対して鋭角をなす方向に変化させていき、基材表面に対する観察方向のなす角度が所定の角度よりも小さくなると、凹部に互いに深さが異なるように設けられた第１のマーク部と第２のマーク部とのうち、凹部における深さが深い方のマーク部がその凹部の観察方向側の基材表面によって隠れて見えなくなり、それにより、凹部における深さが浅い方のマーク部のみが視認可能となる。そのため、複数の第１のマーク部を潜像となる所定の情報が表現されるように複数の凹部のうち予め決められた凹部に設けておけば、基材表面に対して所定の角度よりも小さな角度をなす方向から観察した場合、第１のマーク部を用いた潜像が浮かび上がって見えるようになる。ここで、本発明においては、第１のマーク部と第２のマーク部とが互いに相似形であり、それらの少なくとも一方が、凹部の内側面の全周に渡って設けられているので、基材表面に対して所定の角度よりも小さな角度をなすどの方向から観察した場合であっても、第１のマーク部を用いた潜像が浮かび上がって見えるようになる。また、第１のマーク部と第２のマーク部とは互いに相似形であるので、基材を正面から観察した場合に、第１のマーク部と第２のマーク部との区別がつきにくくなり、第１のマーク部を用いた潜像を認識困難とすることができる。
【発明の効果】
【００１０】
以上説明したように本発明においては、基材表面に対して所定の角度よりも小さな角度をなすどの方向から観察した場合に浮かび上がる潜像を構成する第１のマーク部及び第２のマーク部が互いに相似形であり、かつ、そのうち少なくとも一方が基材に形成された凹部の内側面の全周に渡って設けられているため、観察方向に制限されることなく潜像が浮かび上がり、潜像による真偽判別を容易に行うことができる。
【発明を実施するための最良の形態】
【００１１】
以下に、本発明の実施の形態について図面を参照して説明する。
【００１２】
（第１の実施の形態）
図１は、本発明の偽造防止媒体の第１の実施の形態となる偽造防止シートを示す図であり、（ａ）は全体の構成を示す図、（ｂ）は（ａ）に示した偽造防止構造１０の詳細な構成を示す図、（ｃ）は（ｂ）に示したＡ−Ａ’断面図、（ｄ）は文字部マーク１２が設けられた凹部１１の構成を示す図、（ｅ）は背景部マーク１３が設けられた凹部１１の構成を示す図である。
【００１３】
本形態の偽造防止シート１は図１に示すように、紙からなるシート基材２の一部の領域に偽造防止構造１０が設けられて構成されている。シート基材２は、基材表面となる平面部３を有し、この平面部３の一部の領域に情報印刷領域４が設けられるとともに、他の領域に偽造防止構造１０が設けられている。このように構成された偽造防止シート１は、例えば、コンサート等の入場チケットとして用いることが考えられる。その場合、コンサートの内容や会場名、座席番号等が情報印刷領域４に印刷されることになる。また、シート基材２の情報印刷領域４に情報が印刷される前に、シート基材２に対してプレ印刷として地紋を印刷したり所定の色に着色したりすることも考えられるが、その場合、偽造防止構造１０による潜像が見にくくならないようにする必要がある。
【００１４】
シート基材２に設けられた偽造防止構造１０は図１（ｂ）に示すように、シート基材２にマトリックス状に形成された複数の凹部１１と、この複数の凹部１１のうち予め決められた凹部１１のみに設けられた第１のマーク部である文字部マーク１２と、複数の凹部１１のうち文字部マーク１２が設けられていない凹部１１に設けられた第２のマーク部である背景部マーク１３とから構成されている。凹部１１は図１（ｃ）に示すように、シート基材２の厚さ方向に平面部３から０．１ｍｍ程度窪み、平面部３との境界部分が直径０．５ｍｍ以下の円形状となっている。この境界部分から離れていくに従ってその断面積が徐々に狭くなり、図１（ｄ），（ｅ）に示すように、境界部分の反対側は平面部３と平行な底部１１ｂとなっている。そのため、凹部１１の内側面１１ａは、平面部３の法線に対して斜めの方向を向いている。文字部マーク１２は、複数の凹部１１のうち予め決められた凹部１１の内側面１１ａの平面部３からの深さが第１の深さｄ1となる位置にて全周に渡って印刷によって設けられており、凹部１１の平面部３との境界部分が円形状であり、また、この境界部分から離れていくに従って凹部１１の断面積が徐々に狭くなることから、シート基材２の平面部３の法線方向から見た場合に円形状となっている。背景部マーク１３は、複数の凹部１１のうち文字部マーク１２が設けられていない凹部１１の内側面１１ａの平面部３からの深さが第２の深さｄ2となる位置にて全周に渡って印刷によって設けられており、凹部１１の平面部３との境界部分が円形状であり、また、この境界部分から離れていくに従って凹部１１の断面積が徐々に狭くなることから、シート基材２の平面部３の法線方向から見た場合に円形状となっている。ここで、凹部１１の内側面１１ａにて文字部マーク１２が設けられた深さｄ1と、背景部マーク１３が設けられた深さｄ2とは、背景部マーク１３が設けられた深さｄ2が文字部マーク１２が設けられた深さｄ1よりも深くなっている。なお、本形態にて図示する偽造防止構造１０は、説明を簡単にするために縦横がそれぞれ１０個ずつの凹部１１が形成されたものであるが、その数を多くすればするほど、この偽造防止構造１０によって浮き上がらせることができる潜像となる文字を精細なものとすることができ、曲線等を表現しやすくなる。
【００１５】
以下に、上記のように構成された偽造防止シート１の製造方法について説明する。
【００１６】
図２は、図１に示した偽造防止シート１の製造方法を説明するための図であり、シート基材２のうち偽造防止構造１０が設けられる領域のみを示す。
【００１７】
まず、シート基材２の偽造防止構造１０が設けられる領域に、文字部マーク１２及び背景部マーク１３をそれぞれ円形状に印刷する（図２（ａ））。文字部マーク１２は、凹部１１が設けられる１０×１０のマトリックス状の領域のうち潜像となる「Ｔ」を形成する位置に印刷し、背景部マーク１３は、１０×１０のマトリックス状の領域のうち文字部マーク１２が印刷されない位置に印刷する。文字部マーク１２と背景部マーク１３とは、互いに相似形であって、その径は、文字部マーク１２及び背景部マーク１３が設けられた領域に凹部１１を形成した際に、上述したように平面部３からの深さが背景部マーク１３の方が文字部マーク１２よりも深くなるように、文字部マーク１２の径の方が背景部マーク１３の径よりも大きくなっている。これら文字部マーク１２と背景部マーク１３との組み合わせは、偽造防止構造１０によって浮かび上がる潜像（本形態においては「Ｔ」）に応じて予め設定されており、印刷データとして与えられる。また、これら文字部マーク１２と背景部マーク１３の印刷は、上述したようなプレ印刷と同時に行ってもよいし、上述したプレ印刷を行った後に行ってもよい。
【００１８】
次に、文字部マーク１２が印刷された領域と背景部マーク１３が印刷された領域とのそれぞれに、エンボス版を用いて複数の凹部１１を形成する（図２（ｂ））。この際、凹部１１は、文字部マーク１２及び背景部マーク１３の外側がそれぞれ平面部３との境界部分となるように形成され、それにより、文字部マーク１２及び背景部マーク１３はそれぞれ、凹部１１の内側面１１ａの全周に渡って設けられた形状となる。
【００１９】
上述したようにして偽造防止シート１が製造され、その後、用途に応じた情報がシート基材２の情報印刷領域４に印刷されて使用されることになる。なお、上述した凹部１１の形成については、エンボス版を用いるのではなく、シート基材２の文字部マーク１２及び背景部マーク１３の内側に透明樹脂を塗布し、この透明樹脂が硬化した後に透明樹脂をシート基材２に埋め込むことにより凹部１１を形成することも考えられる。
【００２０】
以下に、上述した偽造防止シート１の作用について説明する。
【００２１】
まず、図１に示した偽造防止シート１を正面、すなわち、シート基材２の平面部３の法線方向から観察した場合の作用について説明する。
【００２２】
図３は、図１に示した偽造防止シート１を正面から観察した場合の作用を説明するための図であり、（ａ）は断面方向から見た図、（ｂ）は偽造防止構造１０における文字部マーク１２及び背景部マーク１３の見え方を示す図である。
【００２３】
図１に示した偽造防止シート１を、図３（ａ）に示すように、正面、すなわち平面部３の法線方向から観察した場合、複数の凹部１１にそれぞれ設けられた文字部マーク１２及び背景部マーク１３は、観察方向から遮るものが存在しないため、図３（ｂ）に示すように全ての文字部マーク１２及び背景部マーク１３が視認されることとなる。
【００２４】
文字部マーク１２と背景部マーク１３とは、凹部１１の内側面１１ａにおいて平面部３からの深さが互いに異なるように設けられているものの、互いに相似形であり、かつ、偽造防止シート１を正面から観察した場合はその深さ方向にて観察されることとなり、それにより、文字部マーク１２と背景部マーク１３とが略同一の形状として認識され、同一形状のマークが並んで形成されているものとして認識される。これは凹部１１が微細であるほどこれらが略同一の形状として認識されやすくなる。
【００２５】
次に、図１に示した偽造防止シート１に対する観察方向を正面、すなわち、シート基材２の平面部３の法線方向から変化させていった場合の作用について説明する。
【００２６】
図４は、図１に示した偽造防止シート１に対する観察方向を正面から変化させていった場合の作用を説明するための図であり、（ａ）は断面方向から見た図、（ｂ）は背景部マーク１３が見えなくなる時の平面部３に対する観察方向の角度θ1を示す図、（ｃ）は（ｂ）に示した角度θ1にて文字部マーク１２を見た状態を示す図、（ｄ）〜（ｇ）は偽造防止構造１０における文字部マーク１２及び背景部マーク１３の見え方を示す図である。
【００２７】
図１に示した偽造防止シート１に対する観察方向を正面から変化させていくと、シート基材２の平面部３に対する観察方向のなす角度が鋭角になっていく。そして、シート基材２の平面部３に対する観察方向のなす角度が、図４（ｂ）に示すように角度θ1よりも小さくなると、凹部１１の内側面１１ａに設けられた文字部マーク１２及び背景部マーク１３のうち背景部マーク１３が、その背景部マーク１３が設けられた凹部１１の観察方向側の平面部３の縁によって隠れて見えなくなる。なお、背景部マーク１３が平面部３の縁によって隠れて見えなくなる角度θ1は、図４（ｂ）に示すように、背景部マーク１３と、その背景部マーク１３が設けられた凹部１１の観察方向側の平面部３の縁との間の平面部３と平行となる方向についての距離をｗ1、背景部マーク１３の平面部３からの深さをｔ1とすると、角度θ1＝ｔａｎ-1（ｔ1／ｗ1）で表される。
【００２８】
一方、文字部マーク１２においては、シート基材２の平面部３に対する観察方向のなす角度が、背景部マーク１３が見えなくなる角度θ1となった場合においても、図４（ｃ）に示すように、その文字部マーク１２が設けられた凹部１１の観察方向側の平面部３の縁によって隠れない。
【００２９】
そのため、偽造防止シート１に対する観察方向を、例えば図１中下側に変化させていき、シート基材２の平面部３に対する観察方向のなす角度がθ1よりも小さくなると、凹部１１の内側面１１ａに設けられた文字部マーク１２及び背景部マーク１３のうち文字部マーク１２のみが見えることになり、図４（ｄ）に示すように、この文字部マーク１２によって構成される潜像「Ｔ」が浮かび上がって見えるようになる。
【００３０】
ここで、図１に示した偽造防止シート１においては、観察方向によって浮かび上がる潜像を構成する文字部マーク１２が、シート基材２に形成された凹部１１の内側面１１ａの全周に渡って設けられているため、シート基材２の平面部３と観察方向とのなす角度がθ1よりも小さければ、どの方向から観察した場合であっても、文字部マーク１２による潜像が浮かび上がって見えるようになる。例えば、偽造防止シート１に対する観察方向を図１中上側に変化させていくと、文字部マーク１２によって構成される潜像「Ｔ」が図４（ｅ）に示すように浮かび上がって見えるようになり、また、偽造防止シート１に対する観察方向を図１中右側に変化させていくと、文字部マーク１２によって構成される潜像「Ｔ」が図４（ｆ）に示すように浮かび上がって見えるようになり、また、偽造防止シート１に対する観察方向を図１中左側に変化させていくと、文字部マーク１２によって構成される潜像「Ｔ」が図４（ｆ）に示すように浮かび上がって見えるようになる。
【００３１】
シート基材２の平面部３と観察方向とのなす角度がθ1よりも小さければ、上述したように、凹部１１の内側面１１ａに設けられた文字部マーク１２及び背景部マーク１３のうち背景部マーク１３が隠れて見えなくなるが、シート基材２の平面部３と観察方向とのなす角度をさらに小さくしていき、シート基材２の平面部３に対する観察方向のなす角度が、図４（ｃ）に示すように角度θ2よりも小さくなると、凹部１１の内側面１１ａに設けられた文字部マーク１２までもが、その文字部マーク１２が設けられた凹部１１の観察方向側の平面部３の縁によって隠れて見えなくなってしまう。すなわち、シート基材２の平面部３に対する観察方向のなす角度θが、θ2≦θ≦θ1である場合に、凹部１１の内側面１１ａに設けられた文字部マーク１２及び背景部マーク１３のうち文字部マーク１２のみが視認可能となることにより潜像「Ｔ」が浮かび上がって見えることになる。なお、文字部マーク１２が平面部３の縁によって隠れて見えなくなる角度θ2は、図４（ｃ）に示すように、文字部マーク１２と、その文字部マーク１２が設けられた凹部１１の観察方向側の平面部３の縁との間の平面部３と平行となる方向についての距離をｗ2、文字部マーク１２の平面部３からの深さをｔ2とすると、角度θ2＝ｔａｎ-1（ｔ2／ｗ2）で表される。
【００３２】
上述した偽造防止シート１は、複写した場合、シート基材２の情報印刷領域４に印刷された情報や、シート基材２に印刷により設けられた文字部マーク１２及び背景部マーク１３は複写されるものの、凹部１１までは再現できない。そのため、複写物の観察方向を変えていった場合であっても、文字部マーク１２による潜像は浮かび上がらず、それにより、真偽判別を行うことが可能となる。このように真偽判別を行う際、本形態の偽造防止シート１においては、偽造防止シート１に対する観察方向をシート基材２の平面部３の法線方向からどの方向に変化させていった場合であっても、文字部マーク１２による潜像が浮かび上がって見えるため、観察方向に制限されることなく潜像による真偽判別を容易に行うことができる。
【００３３】
（第２の実施の形態）
図５は、本発明の偽造防止媒体の第２の実施の形態となる偽造防止シートを示す図であり、（ａ）は全体の構成を示す図、（ｂ）は（ａ）に示した偽造防止構造１１０の詳細な構成を示す図、（ｃ）は（ｂ）に示したＡ−Ａ’断面図、（ｄ）は文字部マーク１１２が設けられた凹部１１の構成を示す図、（ｅ）は背景部マーク１１３が設けられた凹部１１の構成を示す図である。
【００３４】
本形態の偽造防止シート１０１は図５に示すように、第１の実施の形態に示したものに対して、凹部１１に設けられた文字部マーク１１２及び背景部マーク１１３が破線で構成されているとともに、背景部マーク１１３が凹部１１の内側面１１ａではなく底部１１ｂに設けられている点で異なるものである。背景部マーク１１３は、凹部１１の底部１１ｂにて円形状に設けられており、それにより、凹部１１の内側面１１ａの全周に渡って設けられた文字部マーク１１２と相似形となっている。上述したように、文字部マーク１１２が凹部１１の内側面１１ａに設けられ、背景部マーク１１３が凹部１１の底部１１ｂに設けられているため、本形態においても、背景部マーク１１３の平面部３からの深さが文字部マーク１１２の平面部３からの深さよりも深くなっている。
【００３５】
上記のように構成された偽造防止シート１０１は、第１の実施の形態にて示したものと同様に、まず、文字部マーク１１２及び背景部マーク１１３がシート基材２に印刷され、その後、文字部マーク１１２及び背景部マーク１１３の外側がそれぞれ平面部３との境界部分となり、かつ、文字部マーク１１２の内側かつ背景部マーク１１３の外側が凹部１１の内側面１１ａと底部１１ｂとの境界部分となるように凹部１１が形成され、それにより、文字部マーク１１２が凹部１１の内側面１１ａの全周に渡って設けられ、また、背景部マーク１１１が凹部１１の底部１１ｂに設けられた形状となる。
【００３６】
以下に、上述した偽造防止シート１０１の作用について説明する。
【００３７】
まず、図５に示した偽造防止シート１０１を正面、すなわち、シート基材２の平面部３の法線方向から観察した場合の作用について説明する。
【００３８】
図６は、図５に示した偽造防止シート１０１を正面から観察した場合の作用を説明するための図であり、（ａ）は断面方向から見た図、（ｂ）は偽造防止構造１１０における文字部マーク１１２及び背景部マーク１１３の見え方を示す図である。
【００３９】
図５に示した偽造防止シート１０１を、図６（ａ）に示すように、正面、すなわち平面部３の法線方向から観察した場合、複数の凹部１１にそれぞれ設けられた文字部マーク１１２及び背景部マーク１１３は、観察方向から遮るものが存在しないため、図６（ｂ）に示すように全ての文字部マーク１１２及び背景部マーク１１３が視認されることとなる。
【００４０】
文字部マーク１１２と背景部マーク１１３とは、凹部１１において平面部３からの深さが互いに異なるように設けられているものの、互いに相似形であり、かつ、偽造防止シート１０１を正面から観察した場合はその深さ方向にて観察されることとなり、それにより、文字部マーク１１２と背景部マーク１１３とが略同一の形状として認識され、同一形状のマークが並んで形成されているものとして認識される。なお、図６（ｂ）においては、凹部１１内の構成を明確にするために文字部マーク１１２と背景部マーク１１３とを識別可能な程度の形状に示しているが、実際には、凹部１１が微細なものであることから、これらが略同一の形状として認識されることになる。
【００４１】
次に、図５に示した偽造防止シート１０１に対する観察方向を正面、すなわち、シート基材２の平面部３の法線方向から変化させていった場合の作用について説明する。
【００４２】
図７は、図５に示した偽造防止シート１０１に対する観察方向を正面から変化させていった場合の作用を説明するための図であり、（ａ）は断面方向から見た図、（ｂ）は背景部マーク１１３が見えなくなる時の平面部３に対する観察方向の角度θ1を示す図、（ｃ）は（ｂ）に示した角度θ1にて文字部マーク１１２を見た状態を示す図、（ｄ）〜（ｇ）は偽造防止構造１１０における文字部マーク１１２及び背景部マーク１１３の見え方を示す図である。
【００４３】
図５に示した偽造防止シート１０１に対する観察方向を正面から変化させていくと、シート基材２の平面部３に対する観察方向のなす角度が鋭角になっていく。そして、シート基材２の平面部３に対する観察方向のなす角度が、図７（ｂ）に示すように角度θ1よりも小さくなると、凹部１１の内側面１１ａに設けられた文字部マーク１１２、並びに凹部１１の底部１１ｂに設けられた背景部マーク１１３のうち、背景部マーク１１３が、その背景部マーク１１３が設けられた凹部１１の観察方向側の平面部３の縁によって隠れて見えなくなる。なお、背景部マーク１１３が平面部３の縁によって隠れて見えなくなる角度θ1は、図７（ｂ）に示すように、背景部マーク１１３と、その背景部マーク１１３が設けられた凹部１１の観察方向側の平面部３の縁との間の平面部３と平行となる方向についての距離をｗ1、凹部１１の平面部３からの深さをｔ1とすると、角度θ1＝ｔａｎ-1（ｔ1／ｗ1）で表される。
【００４４】
一方、文字部マーク１１２においては、シート基材２の平面部３に対する観察方向のなす角度が、背景部マーク１１３が見えなくなる角度θ1となった場合においても、図７（ｃ）に示すように、その文字部マーク１１２が設けられた凹部１１の観察方向側の平面部３の縁によって隠れない。
【００４５】
そのため、偽造防止シート１０１に対する観察方向を、例えば図５中下側に変化させていき、シート基材２の平面部３に対する観察方向のなす角度がθ1よりも小さくなると、凹部１１の内側面１１ａに設けられた文字部マーク１１２、並びに凹部１１の底部１１ｂに設けられた背景部マーク１１３のうち、文字部マーク１１２のみが見えることになり、図７（ｄ）に示すように、この文字部マーク１１２によって構成される潜像「Ｔ」が浮かび上がって見えるようになる。
【００４６】
ここで、図５に示した偽造防止シート１０１においては、観察方向によって浮かび上がる潜像を構成する文字部マーク１１２が、シート基材２に形成された凹部１１の内側面１１ａの全周に渡って設けられているため、シート基材２の平面部３と観察方向とのなす角度がθ1よりも小さければ、どの方向から観察した場合であっても、文字部マーク１１２による潜像が浮かび上がって見えるようになる。例えば、偽造防止シート１０１に対する観察方向を図５中上側に変化させていくと、文字部マーク１１２によって構成される潜像「Ｔ」が図７（ｅ）に示すように浮かび上がって見えるようになり、また、偽造防止シート１０１に対する観察方向を図５中右側に変化させていくと、文字部マーク１１２によって構成される潜像「Ｔ」が図７（ｆ）に示すように浮かび上がって見えるようになり、また、偽造防止シート１０１に対する観察方向を図５中左側に変化させていくと、文字部マーク１１２によって構成される潜像「Ｔ」が図７（ｆ）に示すように浮かび上がって見えるようになる。
【００４７】
シート基材２の平面部３と観察方向とのなす角度がθ1よりも小さければ、上述したように、凹部１１の内側面１１ａに設けられた文字部マーク１１２、並びに凹部１１の底部１１ｂに設けられた背景部マーク１１３のうち、背景部マーク１１３が隠れて見えなくなるが、シート基材２の平面部３と観察方向とのなす角度をさらに小さくしていき、シート基材２の平面部３に対する観察方向のなす角度が、図７（ｃ）に示すように角度θ2よりも小さくなると、凹部１１の内側面１１ａに設けられた文字部マーク１１２までもが、その文字部マーク１１２が設けられた凹部１１の観察方向側の平面部３の縁によって隠れて見えなくなってしまう。すなわち、シート基材２の平面部３に対する観察方向のなす角度θが、θ2≦θ≦θ1である場合に、凹部１１の内側面１１ａに設けられた文字部マーク１１２、並びに凹部１１の底部１１ｂに設けられた背景部マーク１１３のうち、文字部マーク１１２のみが視認可能となることにより潜像「Ｔ」が浮かび上がって見えることになる。なお、文字部マーク１１２が平面部３の縁によって隠れて見えなくなる角度θ2は、図７（ｃ）に示すように、文字部マーク１１２と、その文字部マーク１１２が設けられた凹部１１の観察方向側の平面部３の縁との間の平面部３と平行となる方向についての距離をｗ2、文字部マーク１１２の平面部３からの深さをｔ2とすると、角度θ2＝ｔａｎ-1（ｔ2／ｗ2）で表される。
【００４８】
上述した偽造防止シート１０１は、複写した場合、シート基材２の情報印刷領域４に印刷された情報や、シート基材２に印刷により設けられた文字部マーク１１２及び背景部マーク１１３は複写されるものの、凹部１１までは再現できない。そのため、複写物の観察方向を変えていった場合であっても、文字部マーク１１２による潜像は浮かび上がらず、それにより、真偽判別を行うことが可能となる。このように真偽判別を行う際、本形態の偽造防止シート１０１においては、偽造防止シート１０１に対する観察方向をシート基材２の平面部３の法線方向からどの方向に変化させていった場合であっても、文字部マーク１１２による潜像が浮かび上がって見えるため、観察方向に制限されることなく潜像による真偽判別を容易に行うことができる。
【００４９】
なお、上述した２つの実施の形態において、偽造防止構造１０，１１０に設けられる文字部マーク１２，１１２及び背景部マーク１３，１１３は、本形態のように幅が均一のものではなく、一部が幅方向に突出した形状であってもよい。
【００５０】
また、上述した２つの実施の形態における凹部１１の平面部３からの深さや平面部３との境界部分の寸法については、上述したものに限らず、適宜設定が可能である。
【００５１】
また、凹部１１においては、円柱形のものや底部１１ｂがない円錐形のものやドーム型のものとすることも考えられる。また、断面が矩形状となるものとすることも考えられる。ただし、凹部１１の平面部３との境界部分が円形状のように中心からの距離が略一定となるものであり、それに伴って文字部マーク１２，１１２も円形状のように中心からの距離が略一定となるものとした方が、どの方向から観察しても視認可能となる文字部マーク１２，１１２の形状が同一となり、文字部マーク１２，１１２によって浮かび上がる潜像の精細な形状を均一化することができる。
【００５２】
また、上述した２つの実施の形態に示したものにおいては、凹部１１における背景部マーク１３，１１３の深さが文字部マーク１２，１１２の深さよりも深くなっているが、文字部マーク１２，１１２の深さを背景部マーク１３，１１３の深さよりも深くし、潜像が白抜き文字として浮かび上がるような構成とすることも考えられる。
【００５３】
また、潜像となる情報は、上述した「Ｔ」のように一文字からなるものに限らず、複数の文字からなるものや模様等であってもよい。また、複数の凹部１１を複数の領域に分割し、その複数の領域毎に文字等が浮かび上がる構成とすることも考えられる。
【００５４】
また、本願で言う相似形とは、一般に言う図形の相似形の他に、円形状のものに対して、円周の一部が少し途切れたものや、円周の一部が少し歪んだものや、全体が少々楕円になったり三角形や四角形に近づく形状に少々歪んだりしたものも相似形として定義する。
【００５５】
また、上述した２つの実施の形態においては、偽造防止媒体として、紙からなるシート基材２に偽造防止構造１０，１１０が設けられた偽造防止シート１，１０１を例に挙げて説明したが、本発明はこのような偽造防止シート１，１０１に限らず、フィルムからなるシート基材や複数の樹脂層が積層されてなるカード基材に上述したような偽造防止構造１０，１１０を設けたものにも適用することが可能である。
【図面の簡単な説明】
【００５６】
【図１】本発明の偽造防止媒体の第１の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は文字部マークが設けられた凹部の構成を示す図、（ｅ）は背景部マークが設けられた凹部の構成を示す図である。
【図２】図１に示した偽造防止シートの製造方法を説明するための図である。
【図３】図１に示した偽造防止シートを正面から観察した場合の作用を説明するための図であり、（ａ）は断面方向から見た図、（ｂ）は偽造防止構造における文字部マーク及び背景部マークの見え方を示す図である。
【図４】図１に示した偽造防止シートに対する観察方向を正面から変化させていった場合の作用を説明するための図であり、（ａ）は断面方向から見た図、（ｂ）は背景部マークが見えなくなる時の平面部に対する観察方向の角度を示す図、（ｃ）は（ｂ）に示した角度にて文字部マークを見た状態を示す図、（ｄ）〜（ｇ）は偽造防止構造における文字部マーク及び背景部マークの見え方を示す図である。
【図５】本発明の偽造防止媒体の第２の実施の形態となる偽造防止シートを示す図であり、（ａ）は全体の構成を示す図、（ｂ）は（ａ）に示した偽造防止構造の詳細な構成を示す図、（ｃ）は（ｂ）に示したＡ−Ａ’断面図、（ｄ）は文字部マークが設けられた凹部の構成を示す図、（ｅ）は背景部マークが設けられた凹部の構成を示す図である。
【図６】図５に示した偽造防止シートを正面から観察した場合の作用を説明するための図であり、（ａ）は断面方向から見た図、（ｂ）は偽造防止構造における文字部マーク及び背景部マークの見え方を示す図である。
【図７】図５に示した偽造防止シートに対する観察方向を正面から変化させていった場合の作用を説明するための図であり、（ａ）は断面方向から見た図、（ｂ）は背景部マークが見えなくなる時の平面部に対する観察方向の角度を示す図、（ｃ）は（ｂ）に示した角度にて文字部マークを見た状態を示す図、（ｄ）〜（ｇ）は偽造防止構造における文字部マーク及び背景部マークの見え方を示す図である。
【符号の説明】
【００５７】
１，１０１    偽造防止シート
２    シート基材
３    平面部
４    情報印刷領域
１０，１１０    偽造防止構造
１１    凹部
１１ａ    内側面
１１ｂ    底部
１２，１１２    文字部マーク
１３，１１３    背景部マーク
【図１】
2008012723.tif 000003
【図２】
2008012723.tif 000004
【図３】
2008012723.tif 000005
【図４】
2008012723.tif 000006
【図５】
2008012723.tif 000007
【図６】
2008012723.tif 000008
【図７】
2008012723.tif 000009